(57)【要約】【課題】新規の構造を有するバッテリモジュールを提供すること。【解決手段】本発明は、それぞれ端子部を備える端子面、後面（ｂａｃｋ  ｓｕｒｆａｃｅ）、および前記端子面と後面との間で平行に延びたサイド面を含む２つ以上のバッテリセルと、前記バッテリセルを共に固定するハウジングと、前記少なくとも２つのバッテリセルの間に備えられる中間支持部材と、を含み、前記２つ以上のバッテリセルは、少なくとも２つのバッテリセルが対面する後面を有するように、いずれか１つのバッテリセルの後面と他の１つのバッテリセルの後面とが互いに対面し、前記中間支持部材は、前記バッテリセルの対面する後面の間で前記対面する後面に隣接した状態で介在する少なくとも１つ以上のベース部と、前記サイド面に並ぶように延びた少なくとも１つ以上のフランジ部と、を備えるバッテリモジュールに関する。【選択図】図１Ｂ
2013065558.tif 000002
【特許請求の範囲】
【請求項１】
それぞれ端子部を備える端子面、後面、および前記端子面と前記後面との間で平行に延びたサイド面を含む２つ以上のバッテリセルと、
前記バッテリセルを共に固定するハウジングと、
前記少なくとも２つのバッテリセルの間に備えられる中間支持部材と、を含み、
前記２つ以上のバッテリセルは、少なくとも２つのバッテリセルが対面する後面を有するように、いずれか１つのバッテリセルの後面と他の１つのバッテリセルの後面とが互いに対面し、
前記中間支持部材は、前記バッテリセルの対面する後面の間で前記対面する後面に隣接した状態で介在する少なくとも１つ以上のベース部と、前記サイド面に並ぶように延びた少なくとも１つ以上のフランジ部と、を備えることを特徴とするバッテリモジュール。
【請求項２】
前記中間支持部材は、前記ハウジングに固定されるように連結されることを特徴とする請求項１に記載のバッテリモジュール。
【請求項３】
前記中間支持部材は、第１および第２中間支持部材を含み、それぞれの前記第１および第２中間支持部材は、１つのベース部と１つのフランジ部とを備え、
前記第１中間支持部材のベース部と前記第２中間支持部材のベース部とは、互いに向かって延び、前記バッテリセルの対面する後面に沿って備えられることを特徴とする請求項１に記載のバッテリモジュール。
【請求項４】
それぞれの前記第１および第２中間支持部材は、Ｔ字状の形態で備えられることを特徴とする請求項３に記載のバッテリモジュール。
【請求項５】
前記中間支持部材は、１つのベース部と、前記ベース部の端に備えられる一対のフランジ部と、を含むことを特徴とする請求項１に記載のバッテリモジュール。
【請求項６】
互いに並ぶように延びた一対のエンドプレートと、
それぞれ端子部を備える端子面、後面、および前記端子面と前記後面との間で平行に延びた広い面を含む２つ以上のバッテリセルと、
それぞれの前記バッテリセルの広い面の少なくとも一部をカバーするカバープレートと、
前記バッテリセルの対面する後面の間で前記対面する後面に隣接した状態で介在する中間支持部材と、を含み、
前記２つ以上のバッテリセルは、少なくとも２つのバッテリセルが対面する後面を有するように、いずれか１つのバッテリセルの後面と他の１つのバッテリセルの後面とが互いに対面することを特徴とするバッテリモジュール。
【請求項７】
前記中間支持部材は、前記エンドプレートに並ぶように備えられる少なくとも１つのベース部と、前記少なくとも１つのベース部の少なくとも１つの端で垂直に備えられる少なくとも１つのフランジ部と、を含むことを特徴とする請求項６に記載のバッテリモジュール。
【請求項８】
前記中間支持部材は、前記カバープレートおよび前記エンドプレートのうちの少なくともいずれか１つと連結されることを特徴とする請求項６に記載のバッテリモジュール。
【請求項９】
前記カバープレートは、トッププレートとボトムプレートとを含み、
前記トッププレートおよびボトムプレートは、互いに並び、前記広い面に並ぶように備えられることを特徴とする請求項８に記載のバッテリモジュール。
【請求項１０】
前記中間支持部材は、前記ベース部の上面には上部中間支持部材固定リセスを、前記ベース部の下面には下部中間支持部材固定リセスを含み、
前記トッププレートは、前記中間支持部材の上部中間支持部材固定リセスに対応する上部中間支持部材固定ホールを含み、
前記ボトムプレートは、前記中間支持部材の下部中間支持部材固定リセスに対応する下部中間支持部材固定ホールを含み、
前記トッププレートは、締結部材が前記上部中間支持部材固定ホールと前記上部中間支持部材固定リセスとを連結させることによって前記中間支持部材と連結され、
前記ボトムプレートは、締結部材が前記下部中間支持部材固定ホールと前記下部中間支持部材固定リセスとを連結させることによって前記中間支持部材と連結されることを特徴とする請求項９に記載のバッテリモジュール。
【請求項１１】
それぞれのエンドプレートは、少なくとも１つの下部エンドプレート固定リセスおよび少なくとも１つの上部エンドプレート固定リセスを含み、
前記ボトムプレートは、前記エンドプレートの下部エンドプレート固定リセスに対応する下部エンドプレート固定ホールを含み、
前記ボトムプレートは、締結部材が前記下部エンドプレート固定ホールと前記下部エンドプレート固定リセスとを連結させることによって前記エンドプレートと連結され、
前記トッププレートは、前記エンドプレートの上部エンドプレート固定リセスに対応する上部エンドプレート固定ホールを含み、
前記トッププレートは、締結部材が前記上部エンドプレート固定ホールと前記上部エンドプレート固定リセスとを連結させることによって前記エンドプレートと連結されることを特徴とする請求項９に記載のバッテリモジュール。
【請求項１２】
前記中間支持部材は、第１および第２中間支持部材を含み、それぞれの前記第１および第２中間支持部材は、１つのベース部と１つのフランジ部とを備え、
前記第１中間支持部材のベース部と前記第２中間支持部材のベース部とは、互いに向かって延び、前記エンドプレートに並ぶように備えられ、
前記第１中間支持部材のフランジ部と前記第２中間支持部材のフランジ部とは、互いに並ぶように延び、前記ベース部に対して垂直に備えられることを特徴とする請求項６に記載のバッテリモジュール。
【請求項１３】
それぞれのエンドプレートは、前記エンドプレートの端に固定タブをさらに含み、前記固定タブは、前記中間支持部材の少なくとも１つのフランジ部に並ぶように前記中間支持部材に向かって折り曲げられ、
それぞれの前記固定タブは、それぞれの前記バッテリセルの狭い面に沿って延びることを特徴とする請求項６に記載のバッテリモジュール。
【請求項１４】
前記固定タブは、前記中間支持部材の少なくとも１つのフランジと連結されることを特徴とする請求項１３に記載のバッテリモジュール。
【請求項１５】
前記中間支持部材は、１つのベース部と、前記ベース部の端に備えられる一対のフランジ部と、を含むことを特徴とする請求項６に記載のバッテリモジュール。
【請求項１６】
前記ベース部は、前記エンドプレートに並ぶように延び、前記フランジ部は、互いに並ぶように延び、前記ベース部に垂直に備えられることを特徴とする請求項１５に記載のバッテリモジュール。
【請求項１７】
少なくとも１つのフランジ部は、前記バッテリセルの狭い面に沿って延びることを特徴とする請求項６に記載のバッテリモジュール。
【請求項１８】
前記２つ以上のバッテリセルは、少なくとも２つのセルセットを含み、それぞれのセルセットは、前記カバープレートに垂直な方向に積層されることを特徴とする請求項６に記載のバッテリモジュール。
【請求項１９】
前記エンドプレートの高さと前記中間支持部材の高さとは、前記積層されたバッテリセルの高さに対応するように備えられることを特徴とする請求項１８に記載のバッテリモジュール。
【請求項２０】
それぞれのエンドプレートは、前記エンドプレートを貫通する少なくとも１つの端子部通孔を含み、
それぞれのバッテリセルは、前記端子面に少なくとも１つの端子部を含み、
それぞれの前記バッテリセルの少なくとも１つの前記端子部は、対応する前記エンドプレートの少なくとも１つの前記端子部通孔を通過するように延びることを特徴とする請求項６に記載のバッテリモジュール。
【発明の詳細な説明】
【技術分野】
【０００１】
本発明は、バッテリモジュールに関する。
【背景技術】
【０００２】
最近、高エネルギー密度の非水電解液を用い、バッテリセルを含む高出力バッテリモジュールが開発されており、前記高出力バッテリモジュールは、高電力を必要とする機器、例えば、電気自動車などのモータの駆動に使用できるように、複数のバッテリセルを直列に連結して大容量のバッテリモジュールを構成する。
【０００３】
バッテリモジュールを採用する機器の大きさまたは形態が多様化するにつれ、これに対応して、前記バッテリモジュールの大きさまたは形態も多様化することが要求され、特に、軽量化且つ小型化されたバッテリモジュールの需要が増加している。
【発明の概要】
【発明が解決しようとする課題】
【０００４】
上記の問題を解決するためになされた本発明の目的は、新規の構造を有するバッテリモジュールを提供することである。
【０００５】
また、本発明の他の目的は、バッテリセルを強固に固定させることにより、安定性が向上したバッテリモジュールを提供することである。
【課題を解決するための手段】
【０００６】
上記の目的を達成するための本発明の特徴によれば、本発明は、バッテリモジュールに関する。
【０００７】
本発明の実施形態は、それぞれ端子部を備える端子面、後面（ｂａｃｋ  ｓｕｒｆａｃｅ）、および前記端子面と後面との間で平行に延びたサイド面を含む２つ以上のバッテリセルと、前記バッテリセルを共に固定するハウジングと、前記少なくとも２つのバッテリセルの間に備えられる中間支持部材と、を含み、前記２つ以上のバッテリセルは、少なくとも２つのバッテリセルが対面する（ｆａｃｅ−ｔｏ−ｆａｃｅ）後面を有するように、いずれか１つのバッテリセルの後面と他の１つのバッテリセルの後面とが互いに対面し、前記中間支持部材は、前記バッテリセルの対面する後面の間で前記対面する後面に隣接した状態で介在する少なくとも１つ以上のベース部と、前記サイド面に並ぶように延びた少なくとも１つ以上のフランジ部と、を備えるバッテリモジュールを含むことができる。
【０００８】
前記中間支持部材は、前記ハウジングに固定されるように連結できる。
【０００９】
前記中間支持部材は、第１および第２中間支持部材を含み、それぞれの第１および第２中間支持部材は、１つのベース部と１つのフランジ部とを備え、前記第１中間支持部材のベース部と前記第２中間支持部材のベース部とは、互いに向かって延び、前記バッテリセルの対面する後面に沿って具備できる。
【００１０】
それぞれの第１および第２中間支持部材は、Ｔ字状の形態で具備できる。
【００１１】
前記中間支持部材は、１つのベース部と、前記ベース部の端に備えられる一対のフランジ部と、を含むことができる。
【００１２】
本発明の他の側面によれば、本発明の実施形態は、互いに並ぶように延びた一対のエンドプレートと、それぞれ端子部を備える端子面、後面（ｂａｃｋ  ｓｕｒｆａｃｅ）、および前記端子面と後面との間で平行に延びた広い面を含む２つ以上のバッテリセルと、それぞれのバッテリセルの広い面の少なくとも一部をカバーするカバープレートと、前記バッテリセルの対面する後面の間で前記対面する後面に隣接した状態で介在する中間支持部材と、を含み、前記２つ以上のバッテリセルは、少なくとも２つのバッテリセルが対面する（ｆａｃｅ−ｔｏ−ｆａｃｅ）後面を有するように、いずれか１つのバッテリセルの後面と他の１つのバッテリセルの後面とが互いに対面するバッテリモジュールを含むことができる。
【００１３】
前記中間支持部材は、前記エンドプレートに並ぶように備えられる少なくとも１つのベース部と、前記少なくとも１つのベース部の少なくとも１つの端で垂直に備えられる少なくとも１つのフランジ部と、を含むことができる。
【００１４】
前記中間支持部材は、前記カバープレートおよび前記エンドプレートのうちの少なくともいずれか１つと連結できる。
【００１５】
前記カバープレートは、トッププレートとボトムプレートとを含み、前記トッププレートおよびボトムプレートは、互いに並び、前記広い面に並ぶように具備できる。
【００１６】
前記中間支持部材は、前記ベース部の上面には上部中間支持部材固定リセス（ｒｅｃｅｓｓ）を、前記ベース部の下面には下部中間支持部材固定リセスを含み、前記トッププレートは、前記中間支持部材の上部中間支持部材固定リセスに対応する上部中間支持部材固定ホールを含み、前記ボトムプレートは、前記中間支持部材の下部中間支持部材固定リセスに対応する下部中間支持部材固定ホールを含み、前記トッププレートは、締結部材が前記上部中間支持部材固定ホールと上部中間支持部材固定リセスとを連結させることによって前記中間支持部材と連結され、前記ボトムプレートは、締結部材が前記下部中間支持部材固定ホールと下部中間支持部材固定リセスとを連結させることによって前記中間支持部材と連結できる。
【００１７】
それぞれのエンドプレートは、少なくとも１つの下部エンドプレート固定リセスおよび少なくとも１つの上部エンドプレート固定リセスを含み、前記ボトムプレートは、前記エンドプレートの下部エンドプレート固定リセスに対応する下部エンドプレート固定ホールを含み、前記ボトムプレートは、締結部材が前記下部エンドプレート固定ホールと下部エンドプレート固定リセスとを連結させることによって前記エンドプレートと連結され、前記トッププレートは、前記エンドプレートの上部エンドプレート固定リセスに対応する上部エンドプレート固定ホールを含み、前記トッププレートは、締結部材が前記上部エンドプレート固定ホールと上部エンドプレート固定リセスとを連結させることによって前記エンドプレートと連結できる。
【００１８】
前記中間支持部材は、第１および第２中間支持部材を含み、それぞれの第１および第２中間支持部材は、１つのベース部と１つのフランジ部とを備え、前記第１中間支持部材のベース部と前記第２中間支持部材のベース部とは、互いに向かって延び、前記エンドプレートに並ぶように備えられ、前記第１中間支持部材のフランジ部と前記第２中間支持部材のフランジ部とは、互いに並ぶように延び、前記ベース部に対して垂直に具備できる。
【００１９】
それぞれのエンドプレートは、前記エンドプレートの端に固定タブ（ｆｉｘｉｎｇ  ｔａｂ）をさらに含み、前記固定タブは、前記中間支持部材の少なくとも１つのフランジ部に並ぶように前記中間支持部材に向かって折り曲げられ、それぞれの固定タブは、それぞれのバッテリセルの狭い面に沿って延びることができる。
【００２０】
前記固定タブは、前記中間支持部材の少なくとも１つのフランジと連結できる。
【００２１】
前記中間支持部材は、１つのベース部と、前記ベース部の端に備えられる一対のフランジ部と、を含むことができる。
【００２２】
前記ベース部は、前記エンドプレートに並ぶように延び、前記フランジ部は、互いに並ぶように延び、前記ベース部に垂直に具備できる。
【００２３】
少なくとも１つのフランジ部は、前記バッテリセルの狭い面に沿って延びることができる。
【００２４】
前記２つ以上のバッテリセルは、少なくとも２つのセルセットを含み、それぞれのセルセットは、前記カバープレートに垂直な方向に積層できる。
【００２５】
前記エンドプレートの高さと前記中間支持部材の高さとは、前記積層されたバッテリセルの高さに対応するように具備できる。
【００２６】
それぞれのエンドプレートは、前記エンドプレートを貫通する少なくとも１つの端子部通孔を含み、それぞれのバッテリセルは、前記端子面に少なくとも１つの端子部を含み、それぞれのバッテリセルの少なくとも１つの端子部は、対応するエンドプレートの少なくとも１つの端子部通孔を通過するように延びることができる。
【発明の効果】
【００２７】
以上のような本発明によれば、新規の構造を有するバッテリモジュールを提供することができる。
【００２８】
また、本発明によれば、バッテリセルを強固に固定させることにより、安定性が向上したバッテリモジュールを提供することができる。
【図面の簡単な説明】
【００２９】
【図１Ａ】本発明の好ましい実施形態にかかるバッテリモジュールの斜視図である。
【図１Ｂ】図１Ａの分解斜視図である。
【図２】図１Ｂによるエンドプレートおよびバッテリセルの斜視図である。
【図３Ａ】バッテリセルおよび中間支持部材の斜視図である。
【図３Ｂ】中間支持部材の拡大図である。
【図４Ａ】本発明の他の実施形態にかかる中間支持部材およびバッテリセルの斜視図である。
【図４Ｂ】図４Ａの中間支持部材の拡大図である。
【図５】本発明の他の実施形態にかかるバッテリモジュールの分解斜視図である。
【図６】本実施形態にかかるエンドプレートおよびセルアレイの斜視図である。
【図７】セルアレイおよび中間支持部材の斜視図である。
【図８】本発明のその他の実施形態にかかるバッテリモジュールの斜視図である。
【発明を実施するための形態】
【００３０】
その他の実施形態の具体的な事項は、詳細な説明および図面に含まれている。
【００３１】
本発明の利点および特徴、そして、それらを達成する方法は、添付した図面と共に、詳細に後述する実施形態を参照すれば明確になるはずである。しかし、本発明は、以下に開示される実施形態に限定されるものではなく、互いに異なる多様な形態で実現可能であり、以下の説明において、ある部分が他の部分に連結されているとする時、これは、直接的に連結されている場合のみならず、その中間に別の素子を挟んで電気的に連結されている場合も含む。また、図面において、本発明と関係のない部分は、本発明の説明を明確にするために省略し、明細書全体にわたり、類似の部分については同一の図面符号を付した。
【００３２】
以下、添付した図面を参考にして、本発明について説明する。
【００３３】
図１Ａは、本発明の好ましい実施形態にかかるバッテリモジュールの斜視図であり、図１Ｂは、図１Ａの分解斜視図である。
【００３４】
本発明の好ましい実施形態にかかるバッテリモジュール１００は、端子部１４、１５を備える端子面１１（または、第１面）と前記端子面１１に対向する後面（ｂａｃｋ  ｓｕｒｆａｃｅ）１２（または、第２面）とを含む２つ以上のバッテリセル１０と、前記２つ以上のバッテリセル１０の間に備えられる１つ以上の中間支持部材１５０と、前記バッテリセル１０と中間支持部材１５０とを収納し、前記バッテリセル１０を共に固定するハウジング１１０、１２０、１３０、１４０と、を含み、前記中間支持部材１５０は、前記ハウジング１１０、１２０、１３０、１４０に固定されるように連結できる。前記バッテリセル１０には、（端子面１１および後面１２の間で平行に延びて前記端子面１１および後面１２を連結する）広い面１３が底面に並ぶように備えられ、隣り合うバッテリセル１０の後面１２が互いに対面するように整列され、前記バッテリセル１０の後面１２の間には、１つ以上の中間支持部材１５０が介在する。例えば、前記２つ以上のバッテリセル１０は、少なくとも２つのバッテリセル１０が対面する（ｆａｃｅ−ｔｏ−ｆａｃｅ）後面１２を有するように、いずれか１つのバッテリセル１０の後面１２と他の１つのバッテリセル１０の後面１２とが互いに対面することができる。
【００３５】
また、ハウジング１１０、１２０、１３０、１４０は、互いに対向して備えられ、互いに並ぶように延びた一対のエンドプレート１１０、１２０と、それぞれのバッテリセル１０の広い面の少なくとも一部をカバーするカバープレート１３０、１４０と、を含むことができる。前記カバープレート１３０、１４０は、（前記エンドプレート１１０、１２０に連結されて底面に並ぶように備えられる）ボトムプレート１４０と、前記ボトムプレート１４０に対向して備えられるトッププレート１３０と、を含むことができる。
【００３６】
前記トッププレート１３０およびボトムプレート１４０は、互いに並ぶが、前記バッテリセル１０の広い面１３に並ぶように具備できる。
【００３７】
ボトムプレート１４０は、（トッププレート１３０に対応する大きさに備えられる）セル載置部１４１と、前記セル載置部１４１に延びて備えられ、ホールを含むマウンティング部１４２と、からなり得る。前記セル載置部１４１には、バッテリセル１０の広い面１３が載置されるかまたは連結され、前記マウンティング部１４２は、前記セル載置部１４１の両側から延びてホールを備えることができる。前記ホールは、ボルトまたはスタッドなどを用い、自動車などの外部機器に前記バッテリモジュール１００をマウンティングするのに使用できる。前記ハウジング１１０、１２０、１３０、１４０は、バッテリセル１０を強固に固定し、バッテリモジュール１００の使用の便宜のために設置可能であり、前述した形態に限定されず、多様に変形が可能である。
【００３８】
図２は、図１Ｂによるエンドプレートおよびバッテリセルの斜視図である。
【００３９】
図１Ｂおよび図２を参照すれば、前記バッテリセル１０は、一対のエンドプレート１１０、１２０の間に具備できる。例えば、前記バッテリセル１０は、端子面１１が前記エンドプレート１１０、１２０に対面するように具備できる。
【００４０】
バッテリセル１０は、（後面１２と広い面１３とを含む）電池ケースに電極組立体と電解液とを収納させた後、前記電池ケースを端子面１１で密閉して製造できる。例えば、前記端子面１１は、キャップ組立体などを含むことができる。端子面１１には端子部１４、１５を具備でき、例えば、前記端子部１４、１５は、前記端子面１１の両端に備えられる正極端子１４および負極端子１５を含むことができる。前記電極組立体は、正極端子１４および負極端子１５に連結され、バッテリセル１０の内部で発生する電気化学的なエネルギーは、前記正極端子１４および負極端子１５を介して外部に伝達できる。
【００４１】
前記エンドプレート１１０、１２０は、（バッテリセル１０の端子面１１と対面する）平板部１１１、１２１と、（前記平板部１１１、１２１の両側面で前記バッテリセル１０に向かって折り曲げられるか撓んだ）固定タブ（ｆｉｘｉｎｇ  ｔａｂ）１１２、１２２と、を含むことができる。前記エンドプレート１１０、１２０は、前記端子部１４、１５に対応するように備えられる１つ以上の端子部通孔１１３、１２３を含むことができる。前記端子部１４、１５は、端子部通孔１１３、１２３を通過して延びるように具備できる。本実施形態にかかる一対のエンドプレート１１０、１２０は、互いに対応するように備えられるため、以下では、１つのエンドプレート１１０を基準として説明する。
【００４２】
前記エンドプレート１１０の平板部１１１は、前記バッテリセル１０の端子面１１に対応するように備えられ、前記固定タブ１１２は、前記バッテリセル１０のサイド面、例えば、狭い面１６を覆うように具備できる。前記平板部１１１および固定タブ１１２は、（別の締結のための部材なく）バッテリセル１０を強固に固定することができ、これにより、バッテリモジュール１００の生産工程を単純化することができる。
【００４３】
また、前記平板部１１１には端子部通孔１１３を具備できる。前記端子部通孔１１３は、バッテリセル１０の端子部１４、１５を外部に露出させることができるため、隣り合うバッテリモジュール１００間の電気的な連結を容易にすることができる。また、前記（端子部１４、１５に対応するように備えられる）端子部通孔１１３は、バッテリセル１０の位置をガイドするかまたは固定することができるため、バッテリモジュール１００の生産効率を向上させることができる。
【００４４】
図３Ａは、バッテリセルおよび中間支持部材の斜視図であり、図３Ｂは、中間支持部材の拡大図である。
【００４５】
図１Ｂおよび図３Ａ、図３Ｂを参照すれば、バッテリセル１０は、前記バッテリセル１０の広い面１３が底面に並ぶように備えられ、隣り合うバッテリセル１０の後面１２が互いに対面するように整列できる。また、前記バッテリセル１０の対面する後面１２の間には、１つ以上の中間支持部材１５０が介在できる。
【００４６】
前記中間支持部材１５０は、（バッテリセル１０の間に介在する）少なくとも１つのベース部１５１と、前記ベース部１５１に垂直に連結されるフランジ部１５２と、を含むことができる。この時、前記ベース部１５１は、フランジ部１５２の中央部に連結できる。例えば、前記中間支持部材１５０は、前記エンドプレート１１０、１２０に並ぶように備えられる少なくとも１つのベース部１５１と、前記少なくとも１つのベース部１５１の少なくとも１つの端で垂直に備えられる少なくとも１つのフランジ部１５２と、を含むことができる。前記中間支持部材１５０は、前記バッテリセル１０の対面する後面１２の間で前記対面する後面１２に隣接した状態で介在する少なくとも１つ以上のベース部１５１と、前記バッテリセル１０のサイド面に並ぶように延びた少なくとも１つ以上のフランジ部１５２と、を含むことができる。
【００４７】
例えば、前記中間支持部材１５０は、Ｔ字形であり得る。本実施形態にかかる中間支持部材１５０は、第１および第２中間支持部材１５０ａ、１５０ｂを含み、前記第１および第２中間支持部材１５０ａ、１５０ｂは、バッテリモジュールの互いに反対側で介在できる。それぞれの第１および第２中間支持部材１５０ａ、１５０ｂは、１つのベース部１５１と１つのフランジ部１５２とを備え、前記第１中間支持部材１５０ａのベース部１５１と前記第２中間支持部材１５０ｂのベース部１５１とは、互いに向かって延び、前記バッテリセル１０の対面する後面１２に沿って具備できる。
【００４８】
例えば、前記第１中間支持部材１５０ａのベース部１５１と前記第２中間支持部材１５０ｂのベース部１５１とは、互いに向かって延び、前記エンドプレート１１０、１２０に並ぶように備えられ、前記第１中間支持部材１５０ａのフランジ部１５２と前記第２中間支持部材１５０ｂのフランジ部１５２とは、互いに並ぶように延び、前記ベース部１５１に対して垂直に具備できる。前記中間支持部材１５０は、前記カバープレート１３０、１４０および前記エンドプレート１１０、１２０のうちの少なくともいずれか１つと連結できる。例えば、前記中間支持部材１５０は、トッププレート１３０およびボトムプレート１４０に接するように具備できる。ベース部１５１の長さは、バッテリセル１０の後面１２の長さに略対応可能である。また、前記中間支持部材１５０は、前記トッププレート１３０およびボトムプレート１４０と接する部分に中間支持部材固定リセス（ｒｅｃｅｓｓ）１５３、１５４を含むことができる。前記トッププレート１３０およびボトムプレート１４０は、前記中間支持部材固定リセス１５３、１５４に対応する中間支持部材固定ホール１３３、１４３を含むことができ、前記中間支持部材１５０は、締結部材２０によってトッププレート１３０およびボトムプレート１４０と共に連結できる。例えば、前記締結部材２０は、ボルトまたはスタッドなどを含むことができる。前記中間支持部材固定リセス１５３、１５４および中間支持部材固定ホール１３３、１４３は、締結部材２０によって連結されることにより、前記中間支持部材１５０と前記トッププレート１３０およびボトムプレート１４０とを強固に連結させることができる。例えば、前記中間支持部材１５０は、前記トッププレート１３０とボトムプレート１４０との間の離間間隔を維持することができ、これにより、前記バッテリモジュール１００の形態が維持可能である。
【００４９】
前記フランジ部１５２は、隣り合うバッテリセル１０のサイド面、例えば、狭い面１６に対応するように備えられ、前記バッテリモジュール１００中におけるバッテリセル１０の位置を固定させることができる。中間支持部材１５０は、中間支持部材固定リセス１５３、１５４および中間支持部材固定ホール１３３、１４３によって固定され、前記フランジ部１５２は、バッテリセル１０の狭い面に沿って長く延びて前記狭い面を取り囲むため、バッテリセル１０の側面部からの離脱を防止することができる。本実施形態にかかるバッテリモジュール１００は、中間支持部材１５０によってバッテリセル１０の側面部を固定するために別の部材を省略することができるため、バッテリモジュール１００を軽量化することができる。
【００５０】
以下、図４Ａおよび図７を参照して、本発明の他の実施形態について説明する。後述する内容を除いては、図１ないし図３Ｂで説明した実施形態に記載された内容と類似しているため、これに関する詳細な内容は省略する。
【００５１】
図４Ａは、本発明の他の実施形態にかかる中間支持部材およびバッテリセルの斜視図であり、図４Ｂは、図４Ａの中間支持部材の拡大図である。
【００５２】
図４Ａおよび図４Ｂを参照すれば、隣り合うバッテリセル１０は、前記バッテリセル１０の後面１２が互いに向かい合うように整列でき、前記後面１２の間には、中間支持部材２５０が介在できる。
【００５３】
前記中間支持部材２５０は、（バッテリセル１０の後面１２と対面するように備えられる）ベース部２５１と、（前記ベース部２５１の一端および他端にそれぞれ連結される）第１および第２フランジ部２５２ａ、２５２ｂと、を含むことができる。例えば、前記中間支持部材２５０は、１つのベース部２５１と、前記ベース部２５１の端に備えられる一対のフランジ部２５２と、を含むことができる。また、前記ベース部２５１は、エンドプレートに並ぶように延び、前記フランジ部２５２は、互いに並ぶように延びるが、前記ベース部２５１に垂直に具備できる。
【００５４】
前記ベース部２５１の大きさは、前記バッテリセル１０の後面１２の大きさに対応するように具備できる。バッテリセル１０は、ベース部２５１と第１および第２フランジ部２５２ａ、２５２ｂとによって形成される空間に挿入可能であり、前記バッテリセル１０を容易に整列することができる。また、別の部材を必要とすることなく、前記バッテリセル１０の前後および左右の側面部をすべて固定することができるため、外力によるバッテリセル１０の移動を防止することができ、バッテリモジュール１００の安全性を向上させることができる。前記中間支持部材２５０には、トッププレートおよびボトムプレートと締結するための（上部または下部）中間支持部材固定リセス２５３をさらに含むことができるため、バッテリセルの固定力をさらに向上させることができる。
【００５５】
図５は、本発明の他の実施形態にかかるバッテリモジュールの分解斜視図であり、図６は、本実施形態にかかるエンドプレートおよびセルアレイの斜視図である。
【００５６】
図５および図６を参照すれば、本実施形態にかかるバッテリモジュールは、複数のバッテリセル１０の広い面１３が対面するように積層されてなるセルアレイＡ、Ｂを含み、前記セルアレイＡ、Ｂは、第１セルアレイＡと第２セルアレイＢとを含み、前記第１および第２セルアレイＡ、Ｂは、バッテリセル１０の後面１２が互いに対面するように整列できる。また、前記第１および第２セルアレイＡ、Ｂの間には、中間支持部材３５０が介在でき、前記セルアレイＡ、Ｂおよび中間支持部材３５０の位置は、ハウジング３１０、３２０、３３０、３４０によって固定できる。
【００５７】
前記バッテリセル１０は、ボトムプレート３４０上で一方向に積層されて備えられる第１および第２セルアレイＡ、Ｂからなり得る。第１および第２セルアレイＡ、Ｂは、互いに対応するように略同数のバッテリセル１０が積層されてなり得る。この時、前記バッテリセル１０は、前記バッテリセル１０の端子面１１がエンドプレート３１０に向かうように積層できる。例えば、前記２つ以上のバッテリセル１０は、少なくとも２つのセルセットを含み、それぞれのセルセットは、カバープレート（例えば、トッププレート３３０およびボトムプレート３４０）に垂直な方向に積層できる。エンドプレート３１０は、（第１セルアレイＡを取り囲むように）前記第１セルアレイＡに対応する大きさに具備でき、エンドプレート３２０は、（第２セルアレイＢを取り囲むように）第２セルアレイＢに対応する大きさに具備できる。本実施形態にかかる第１および第２セルアレイＡ、Ｂはそれぞれが対応する高さで具備できるため、前記エンドプレート３１０、３２０はそれぞれが対応する大きさで具備できる。前記エンドプレート３１０、３２０は、平板部３１１、３２１と、前記平板部３１１、３２１から折り曲げられるか撓んだ固定タブ３１２、３２２と、を含むことができる。また、前記エンドプレート３１０、３２０の平板部３１１、３２１には、１つ以上の端子部通孔３１３、３２３をさらに含むことができる。以下では、一対のエンドプレート３１０、３２０は、鏡像（ｍｉｒｒｏｒ  ｉｍａｇｅ）であるため、いずれか１つのエンドプレート３１０を基準として説明する。別の記載がない場合、他の１つのエンドプレート３２０は、前記いずれか１つのエンドプレート３１０に対応する形状に具備できる。
【００５８】
図６を参照すれば、前記エンドプレート３１０の端子部通孔３１３には、前記第１セルアレイＡを構成するバッテリセル１０の端子部１４、１５が挿入されて外部に露出できる。
【００５９】
通常、複数のバッテリセルを積層してなるセルアレイを含むバッテリモジュールの場合、バッテリセル間のアライン（ａｌｉｇｎ）が容易でなく、これは、たびたびバッテリモジュールの不良の原因となり得る。これに対し、本実施形態にかかるバッテリモジュールは、端子部１４、１５を端子部通孔３１３に挿入することによってセルアレイの位置をガイドすることができるため、バッテリセル間のアラインの実現が容易で、生産性を向上させることができる。
【００６０】
図７は、セルアレイおよび中間支持部材の斜視図である。
【００６１】
図５および図７を参照すれば、本実施形態にかかる中間支持部材３５０は、（第１および第２セルアレイＡ、Ｂの間に介在する）ベース部３５１と、前記ベース部３５１に垂直に連結されるフランジ部３５２と、を含むことができる。前記ベース部３５１およびフランジ部３５２は、第１および第２セルアレイＡ、Ｂに対応するように備えられ、前記エンドプレート３１０、３２０と共に、第１および第２セルアレイＡ、Ｂを固定することができる。例えば、前記エンドプレート３１０、３２０の高さと前記中間支持部材３５０の高さとは、前記積層されたバッテリセル１０の高さに対応するように具備できる。
【００６２】
前記中間支持部材３５０は、トッププレート３３０およびボトムプレート３４０に接するように備えられ、接する部位には、中間支持部材固定リセス３５３、３５４を具備できる。前記トッププレート３３０およびボトムプレート３４０には、それぞれ（前記中間支持部材固定リセス３５３、３５４に対応する）中間支持部材固定ホール３３３、３４３を含むことができ、これにより、前記中間支持部材３５０は、締結部材２０によって前記トッププレート３３０およびボトムプレート３４０と共に締結できる。例えば、前記中間支持部材３５０は、前記ベース部３５１の上面には上部中間支持部材固定リセス（ｒｅｃｅｓｓ）３５３を、前記ベース部３５１の下面には下部中間支持部材固定リセス３５４を含むことができる。前記トッププレート３３０は、前記中間支持部材３５０の上部中間支持部材固定リセス３５３に対応する上部中間支持部材固定ホール３３３を含むことができる。前記ボトムプレート３４０は、前記中間支持部材３５０の下部中間支持部材固定リセス３５４に対応する下部中間支持部材固定ホール３４３を含むことができる。したがって、前記トッププレート３３０は、締結部材２０が前記上部中間支持部材固定ホール３３３と上部中間支持部材固定リセス３５３とを連結させることによって前記中間支持部材３５０と連結され、前記ボトムプレート３４０は、締結部材２０が前記下部中間支持部材固定ホール３４３と下部中間支持部材固定リセス３５４とを連結させることによって前記中間支持部材３５０と連結できる。それぞれのエンドプレート３１０、３２０は、少なくとも１つの下部エンドプレート固定リセスおよび少なくとも１つの上部エンドプレート固定リセスを含み、前記ボトムプレート３４０は、前記エンドプレート３１０、３２０の下部エンドプレート固定リセスに対応する下部エンドプレート固定ホール３４３を含み、前記ボトムプレート３４０は、締結部材２０が前記下部エンドプレート固定ホール３４３と下部エンドプレート固定リセスとを連結させることによって前記エンドプレート３１０、３２０と連結できる。前記トッププレート３３０は、前記エンドプレート３１０、３２０の上部エンドプレート固定リセスに対応する上部エンドプレート固定ホール３３３を含み、前記トッププレート３３０は、締結部材２０が前記上部エンドプレート固定ホール３３３と上部エンドプレート固定リセスとを連結させることによって前記エンドプレート３１０、３２０と連結できる。
【００６３】
図８は、本発明のその他の実施形態にかかるバッテリモジュールの斜視図である。前述した実施形態と類似するかまたは同一の構成に関する繰り返される説明は省略する。
【００６４】
図８を参照すれば、バッテリモジュール４００は、２つ以上のバッテリセル１０と、中間支持部材４５０と、ハウジング４１０、４２０、４３０、４４０と、を含むことができる。バッテリセル１０の端子部１４、１５は、バッテリモジュール４００の外側に露出するようにエンドプレート４１０、４２０を貫通して突出できる。前述した実施形態と同様に、本実施形態にかかる中間支持部材４５０は、ツーピース（ｔｗｏ−ｐｉｅｃｅ）からなる中間支持部材、またはワンピース（ｏｎｅ−ｐｉｅｃｅ）からなる中間支持部材を含むことができる。それぞれのエンドプレート４１０、４２０は、前記エンドプレート４１０、４２０の端に固定タブ（ｆｉｘｉｎｇ  ｔａｂ）４１２、４２２をさらに含むが、前記固定タブ４１２、４２２は、前記中間支持部材４５０の少なくとも１つのフランジ部に並ぶように前記中間支持部材に向かって折り曲げられるかまたは撓む。また、前記固定タブ４１２、４２２は、前記バッテリセル１０のサイド面、例えば、狭い面に沿って延びることができる。前記固定タブは、前記バッテリセル１０のサイド面に沿って延び、前記中間支持部材４５０の少なくとも１つのフランジと連結できる。前記エンドプレート４１０、４２０の固定タブ４１２、４２２は、例えば、溶接などによって前記中間支持部材４５０と連結できる。例えば、溶接Ｗは、前記固定タブ４１２、４２２と中間支持部材４５０とが連結される部分に形成できる。
【００６５】
本発明の属する技術分野における通常の知識を有する者は、本発明がその技術的思想や必須の特徴を変更しなくても他の具体的な形態で実施可能であることを理解することができる。そのため、以上に記述した実施形態は、あらゆる面で例示的なものであって、限定的ではないと理解しなければならない。本発明の範囲は、上記の詳細な説明ではなく後述する特許請求の範囲によって示され、特許請求の範囲の意味および権利範囲、そして、その概念から導き出されるすべての変更または変形された形態が本発明の範囲に含まれると解釈されなければならない。
【符号の説明】
【００６６】
１０：バッテリセル
１１：端子面
１２：後面
２０：締結部材
１１０、１２０：エンドプレート
１３０：トッププレート
１４０：ボトムプレート
１５０、２５０、３５０：中間支持部材
【図１Ａ】
2013065558.tif 000003
【図１Ｂ】
2013065558.tif 000004
【図２】
2013065558.tif 000005
【図３Ａ】
2013065558.tif 000006
【図３Ｂ】
2013065558.tif 000007
【図４Ａ】
2013065558.tif 000008
【図４Ｂ】
2013065558.tif 000009
【図５】
2013065558.tif 000010
【図６】
2013065558.tif 000011
【図７】
2013065558.tif 000012
【図８】
2013065558.tif 000013